(57)【要約】【課題】シート本体側と移動フード側との固着現象を回避し、かつ移動フードを強く締め付ける場合でも移動フードのふら付きのない所定の位置にリールを移動フード自体で取り付けることができるようにした釣竿を提供することにある。【解決手段】リールシート本体１４にはリール脚載置面に隣接して設けた平らな第１の支え面４１と、リール脚載置面１６とは反対側に位置して設けた平らな第２の支え面４２とを形成し、移動フード２３には第１の支え面４１に回動を阻止する状態で当接する第１の当付け面５１と、第２の支え面４２に回動を阻止する状態で当接する第２の当付け面５２とを具備した釣竿である。【選択図】      図２
2010004854.tif 000002
【特許請求の範囲】
【請求項１】
リール脚載置面を有したリールシート本体と、
上記リールシート本体に上記リール脚載置面に隣接して設けられた平坦面若しくは該リールシート本体部分の外周面の曲率半径と異なる曲率半径の曲面からなる第１の支え面と、
上記リール脚載置面とは反対側に位置する上記リールシート本体の周面に設けられた平坦面若しくは該リールシート本体部分の外周面の曲率半径と異なる曲率半径の曲面からなる第２の支え面と、
上記リールシート本体に螺合されたナットと、
上記リールシート本体に被嵌し、上記ナットを回動することにより移動可能に設けられ、上記リール脚載置面に載置されたリール脚の足部分を差し込む開口を有した環状の移動フードと、
上記移動フードの内面にあって上記開口側に位置する部位に設けられ、上記第１の支え面に上記移動フードの回動を阻止する状態で当接する第１の当付け面と、
上記移動フードの内面に設けられ、上記第２の支え面に上記移動フードの回動を阻止する状態で当接する第２の当付け面と、
を具備したことを特徴とする釣竿。
【請求項２】
上記第１の支え面は上記リールシート本体部分の外周面の曲率半径と異なる曲率半径の曲面であり、上記第２の支え面は平坦面であることを特徴とする請求項１に記載の釣竿。
【請求項３】
上記リール脚載置面と上記第１の支え面は、連続する平坦面若しくは曲面で連なることを特徴とする請求項１に記載の釣竿。
【請求項４】
上記第１の当付け面と、第２の当付け面とは、上記移動フードの軸方向において前後にずれていることを特徴とする請求項１、請求項２または請求項３に記載の釣竿。
【発明の詳細な説明】
【技術分野】
【０００１】
本発明は、魚釣用リールを取り付けるリール脚固定装置を有する釣竿に関する。
【背景技術】
【０００２】
一般に、魚釣用リールを取り付けるリール脚固定装置はリール脚載置面を備えたリールシート本体と、このリールシート本体にリール脚載置面の長手軸方向において向き合うように対置して設けられる、リールシート本体に固定的に設けた固定フードと、環状に形成されてリールシート本体に被嵌した移動フードと、を備える。移動フードはリールシート本体に螺合したナットによりリール脚載置面の長手軸方向へ移動させられ、リール脚をリール脚載置面に固定するようになっている。リール脚固定装置はナットを回転して移動フードを押し込むようにするので、移動フードは回転するナットから摩擦力を受けてシート本体の軸周りに追従して回り易い。このため、従来ではシート本体の周面の一部を平坦とし、この平坦部の位置に合わせて移動フード内面に平坦部を設け、シート本体側の平坦部と移動フード側の平坦部とを係合してシート本体の軸周りに移動フードが回転しないように規制するようにした方式が提案されている。
【特許文献１】特開２００６−１８０８０１号公報
【発明の開示】
【発明が解決しようとする課題】
【０００３】
ナットを回転して移動フードを押し込む方式では特にナットを回転して移動フードを強く締め込む最終段階でナットから回転方向への強い摩擦力が移動フードに加わる。このため、移動フードはシート本体の軸周りに強い力で回転しようとする。ここで、シート本体側の平坦部と移動フード側の平坦部とは隙間が一切ない完全な状態で密着して突き当たっていると、移動フードの動きを確保できないので平坦部間には多少の隙間が必要である。その結果、ナットから回転方向への強い摩擦力で移動フードはシート本体の軸周りに強く回転しようとする。このときに、シート本体側の平坦部における周方向端の角（隅）部が、移動フード側の平坦部から外れたフード内周面に強く喰い込み、両者が噛み合って固着する現象を起こす虞があった。また、ナットの締付け操作力により移動フードが回転してしまうのではなく、ナットを所定位置に締め込んだ状態であっても、リールの方に強い回転力が加わった時、同様に噛み合う不具合があった。さらに、ナットから回転力を受けて移動フードはふらつくのでシート本体の軸周りに回転して傾いた姿勢の状態で移動フードが固定されてしまう虞もあった。
【０００４】
本発明は、上記事情に着目してなされたもので、その目的とするところは、シート本体側と移動フード側との固着現象を回避し、かつ移動フードを強く締め付ける場合でも移動フードのふら付きのない所定の位置にリールを移動フード自体で取り付けることができるようにした釣竿を提供することにある。
【課題を解決するための手段】
【０００５】
本発明は、リール脚載置面を有したリールシート本体と、上記リールシート本体に上記リール脚載置面に隣接して設けられた平坦面若しくは該リールシート本体部分の外周面の曲率半径と異なる曲率半径の曲面からなる第１の支え面と、上記リール脚載置面とは反対側に位置する上記リールシート本体の周面に設けられた平坦面若しくは該リールシート本体部分の外周面の曲率半径と異なる曲率半径の曲面からなる第２の支え面と、上記リールシート本体に螺合されたナットと、上記リールシート本体に被嵌し、上記ナットを回動することにより移動可能に設けられ、上記リール脚載置面に載置されたリール脚の足部分を差し込む開口を有した環状の移動フードと、上記移動フードの内面にあって上記開口側に位置する部位に設けられ、上記第１の支え面に上記移動フードの回動を阻止する状態で当接する第１の当付け面と、上記移動フードの内面に設けられ、上記第２の支え面に上記移動フードの回動を阻止する状態で当接する第２の当付け面とを具備したことを特徴とする釣竿である。  
上記第１の支え面は上記リールシート本体部分の外周面の曲率半径と異なる曲率半径の曲面であり、上記第２の支え面は平坦面であってもよい。  
上記リール脚載置面と上記第１の支え面は、連続する平坦面若しくは曲面で連なるものでもよい。  
上記第１の当付け面と、第２の当付け面とは、上記移動フードの軸方向において前後にずれているものでもよい。
【発明の効果】
【０００６】
本発明によれば、ナットで移動フードを締め付けた場合、シート本体側と移動フード側との固着現象を回避できる。また、移動フードを強く締め付ける場合でも移動フードには軸周りの傾きやふら付きがなく、所定の位置に正しい姿勢でリールを強固に固定することができるようになる。
【発明を実施するための最良の形態】
【０００７】
以下、本発明の実施形態を図面に基づいて説明する。図１は本発明の一実施形態に係るリール脚固定装置１を備えた釣竿２の全体を示している。釣竿２は例えば繊維強化樹脂製の竿管３からなり、竿管３の手元部には発泡樹脂やコルク材等によって形成したグリップ部材４を取り付けて構成したグリップ５を設けている。リール脚固定装置１はグリップ５の直ぐ前に位置して配設される。竿管３の後端には尻栓６が設けられている。竿管３の先端側途中部分には穂先に向けて所定の間隔をおいて固定された釣糸ガイド７が設けられている。竿管３の先端にはトップガイド８が設けられている。釣竿としては一本の竿管でなくとも元竿と先端節との２本継ぎ形式や先端節が多数の継ぎ形式であってもよい。継ぎ形式の場合、リール脚固定装置１は元竿に設けるようにする。
【０００８】
図２に示すように、上記リール脚固定装置１は魚釣用リール１１を支えるリール脚１２の足部１３を取り付けるためのリールシート本体１４を備える。リールシート本体１４は合成樹脂（例えばナイロンやＡＢＳ等）あるいは金属（ＳＵＳ、アルミニウム、真鍮等）などの材料によって竿管３の竿管本体と別体の筒状部材のものであってその肉厚一部を中空にした構造になっている。図３（Ａ）に示すように、筒状のリールシート本体１４の内孔１５には竿管３が貫通するように挿通され、リールシート本体１４は接着剤等で竿管３の竿管本体に固定されている。リールシート本体１４には図３では下側に示す一側に魚釣用リール１１のリール脚１２における足部１３を載置する略平坦なリール脚載置面１６が前後方向へ長く形成されている。リール脚載置面１６の後端部つまり後方のグリップ５に近接した位置にはリール脚１２の足部１３における後端を差し込むための開口１７を前方へ向けて形成した固定フード１８が設けられている。固定フード１８はリールシート本体１４と一体に形成されている。
【０００９】
図４に示すように、リールシート本体１４の前端側部分は後端側部分よりも小径の小径部２１として形成されている。この小径部２１にはリール脚１２の足部１３の前端を差し込むための開口２２を後方へ向けて形成した移動フード２３と、この移動フード２３よりも前方に位置して配置されるとともにその移動フード２３を後方へ移動させるためのナット２４とが装着される。小径部２１の外周部分にはナット２４を螺合するための雄ねじ２５が形成され、雄ねじ２５にナット２４を螺合するようになっている。そしてナット２４を回転することにより、移動フード２３をリールシート本体１４の前後方向へ移動させることが可能である。図３（Ａ）に示すように、ナット２４はリールシート本体１４の雄ねじ２５に対し直接に螺合する雌ねじ２６を有した螺管２７と、この螺管２７に被嵌固定された回転操作用外套管２８とからなる。回転操作用外套管２８の外径は移動フード２３の外径と略一致する。
【００１０】
図３（Ａ）及び図５（Ａ）に示すように、移動フード２３の前端部分の外周には周回する係止溝３１が形成されている。この係止溝３１にはナット２４の螺管２７後端に内方へ突き出して形成したフランジ３２が嵌り込んで回転自在に係合している。これによりナット２４の螺管２７と移動フード２３とは相対的に軸周りに回転自在に連結されている。
【００１１】
図３（Ａ）（Ｂ）及び図５（Ａ）（Ｂ）に示すように、移動フード２３の内面にはその前後方向にわたり長いキー状の突起３３が形成されている。また、図３（Ｂ）及び図４（Ａ）（Ｄ）に示すように、リールシート本体１４の小径部２１における先端側外周部分の上面部に位置する部分には該小径部２１の先端から移動フード２３が被嵌する領域まで前後方向に沿ってキー溝３４が形成されている。キー溝３４には移動フード２３の突起３３が嵌り込み、これにより、リールシート本体１４に対する移動フード２３の軸周りの回転が規制されるとともに前後方向への移動を案内するガイド機構を構成する。
【００１２】
図４（Ｃ）に示すように、リールシート本体１４のリール脚載置面１６に続けて平坦な状態が移動フード２３が被嵌する領域まで連続して延長される。つまり平坦面がリール脚載置面１６から小径部２１の先端に抜けるまで全長にわたり連続的に形成される。
【００１３】
そして移動フード２３が被嵌する領域における平坦な部分によって上記移動フード２３の内面の一部を受け止める第１の支え面４１を形成する。また、図４（Ａ）に示すように、リール脚載置面１６とは反対側に位置した小径部２１の周面部位には上記移動フード２３の内面の一部を受け止める第２の支え面４２が形成されている。この第２の支え面４２は上記キー溝３４を形成した円周に一致しており、第２の支え面４２はキー溝３４の底部に連なっている。第２の支え面４２を形成するところの、小径部２１の基端部は図４（Ａ）に示すように基端側が大きい径のテーパー状に形成されており、第２の支え面４２はそのテーパー状基端部分の周面の一部分を平坦に切り欠くことにより形成されている。図４（Ｂ）（Ｃ）に示すように、リール脚載置面１６に続く平坦な面部はそのテーパー部および小径部２１の一周部を切り欠くことにより形成されている。
【００１４】
一方、図３（Ａ）（Ｂ）に示すように、上記移動フード２３の内面には第１の支え面４１で受け止められる第１の当付け面５１と、第２の支え面４２で受け止められる第２の当付け面５２とが軸中心に対し反対側に位置するように設けられている。第１の当付け面５１はリール脚１２の足部の前端を差し込む開口２２の領域に隣接してその開口２２の前方領域に形成されている。第２の当付け面５２は移動フード軸中心に対しリール脚載置面１６とは反対側に位置する領域に形成されている。第１の当付け面５１と第２の当付け面５２とはその間でリールシート本体１４を間に挟む形で配置されるように移動フード２３における、互いに反対側に位置する軸対称の内周面部に形成されている。
【００１５】
また、図５（Ａ）に示すように、移動フード２３の第１の当付け面５１と第２の当付け面５２とは移動フード２３の軸方向において前後にずれて配設される（前後方向の位置が一致していてもよい）。この実施形態では第１の当付け面５１は開口２２の前方に位置しており、第２の当付け面５２は移動フード２３の軸方向において開口２２と同じ位置に配設されている。リールシート本体１４側の第１の支え面４１と第２の支え面４２もこれに対応する位置に配設されている。図４（Ｂ）に示すように、上記移動フードの軸方向である前後移動方向つまり上記リールシート本体の前後方向において第１の支え面４１よりも第２の支え面４２の方が上記リール脚載置面側（つまりリールシート本体１４の後ろ側）に位置するように配置されている。また、上記第１の当付け面と第２の当付け面とは上記移動フードの軸方向において前後にずれている。
【００１６】
各面４１，４２，５１，５２はいずれも実質的に平坦な表面としたが、当接する面同士が面接触することにより、リールシート本体１４の軸周りでの移動フード２３の回転を阻止する形態になれば、平坦な表面同士でなくともよい。例えば、第１の支え面４１または第２の支え面４２が、移動フード２３が被嵌するところのリールシート本体１４の部分ここでの実施形態では小径部２１の外周面の曲率半径と異なる曲率半径の曲面部（該外周面の曲率半径より大きい曲面部或いは小さい曲面部）又は小径部２１の外周と異なる形（例えば凹み部）の面部に形成してもよい。第１の当付け面５１及び第２の当付け面５２はそれに当接する第１の支え面４１または第２の支え面４２に密接する形の面部とする。もっとも、各面４１，４２，５１，５２は全面的に密に当接する関係でなくともよく、リールシート本体１４の軸周り方向の両端部において複数部分が突き当たり、その中央部分では接触しない面同士のような形でもよい。また、前後方向においても、全面的に突き当たらなくともその一部において当接するようになっていてもよい。第１の支え面４１と第１の当付け面５１との接する係合及び第２の支え面４２と第２の当付け面５２との接する係合の関係はいずれもリールシート本体１４の軸周りに移動フード２３を回転させない関係に位置決めするようになっている。また、第１の支え面４１と第１の当付け面５１とが接する位置と、第２の支え面４２と第２の当付け面５２とが接する位置とは、リールシート本体１４の前後中心軸に対して上下反対側に配置される。第１の支え面４１と第１の当付け面５１とが接する位置と、第２の支え面４２と第２の当付け面５２とが接する位置とはリール脚１２の足部１３の前端を差し込む、移動フード２３の開口２２の位置と同一平面上で重なるように配設されている。
【００１７】
次に、魚釣用リール１１をリール脚固定装置１に取り付ける場合の手順とその作用について説明する。  
魚釣用リール１１を取り付ける場合、ナット２４を逆回転して移動フード２３を前方へ移動し、固定フード１８と移動フード２３との間隔を広くする。その上で、リール脚１２の足部１３の後端を固定フード１８の開口１７に差し込み、リール脚１２の足部１３をリール脚載置面１６上に載せる。この後、ナット２４を順回転して移動フード２３を固定フード１８側へ移動させる。突起３３とキー溝３４との係合により移動フード２３の回転は阻止され、リールシート本体１４の軸周りに回転することなく、リールシート本体１４の軸方向に沿って手元側へ移動する。すると、移動フード２３の開口２２内に手元側で待機するリール脚１２の足部１３の前端が入り込み、さらにナット２４を強く回転させて移動フード２３の開口２２内にリール脚１２の足部１３の前端を押し込むようにする。
【００１８】
すると、図３（Ａ）に示すように、足部１３の前端部分が移動フード２３の開口２２にその開口２２を押し広げるように強く入り込む。この結果、移動フード２３の開口２２付近に足部１３の前端部分による圧迫力が集中的に加わる。一方、移動フード２３は前端側からナット２４で移動を阻止されているので、移動フード２３には図３（Ａ）に示す紙面に垂直な軸Ｐを中心として回転する力が加わる。通常、開口２２の内面はリール脚載置面１６の面方向に対して入り口側が外側へ広がるように傾斜しており、その開口２２内に入り込む足部１３の前端背部分も先端側が低く傾斜して楔状に形成されているので、足部１３の前端部分が移動フード２３の開口２２に対し楔の様に押し込まれるようになるため、移動フード２３には一層、上記軸Ｐを中心として回転する力が強く加わる。
【００１９】
このように移動フード２３には上記軸Ｐを中心とした回転力が加わる結果、リールシート本体１４の第１の支え面４１に対して移動フード２３の第１の当付け面５１が押し当たると同時にリールシート本体１４の第２の支え面４２に対し移動フード２３の第２の当付け面５２も押し当たる。つまり、開口２２にリール脚１２の足部１３が入り込む際に移動フード２３には図３（Ａ）に矢印Ｆで示す向きの回転力が加わる結果、リールシート本体１４の第１の支え面４１と移動フード２３の第１の当付け面５１とが接触すると同時に、この第１の支え面４１と第１の当付け面５１との接触部が支点となって移動フード２３が回動しようとするので該支点の裏面側に位置するリールシート本体１４の第２の支え面４２と移動フード２３の第２の当付け面５２とが強く押し付けられる。そして、リールシート本体１４の第１の支え面４１と移動フード２３の第１の当付け面５１との接触部と、リールシート本体１４の第２の支え面４２と移動フード２３の第２の当付け面５２との接触部とはいわば梃子の力学関係で相互作用を受けるので密着固定される状態になる。
【００２０】
リールシート本体１４の第１の支え面４１と移動フード２３の第１の当付け面５１との接触と、リールシート本体１４の第２の支え面４２と移動フード２３の第２の当付け面５２との接触とはナット２４により回転力を受ける移動フード２３の軸周りの捻り回転を阻止する。各組の面同士の当接が当接係合力を高める協同関係にあるので、移動フード２３の軸周りの相対回転を確実に阻止する。各接触は面的に当接する係合であるので当接する位置が所定の位置で定まり、安定した位置決め作用を発揮する。そして移動フード２３の軸周りの動きを阻止しながら所定の位置に移動フードを位置決め固定するので、移動フードがナット２４による締め付け時にガタ付いてふら付くなどの現象を起こすことを防止できる。
【００２１】
したがって、シート本体の軸周りに回転して傾いた姿勢の状態のままで移動フードを固定してしまうこともない。
【００２２】
以上のことから、リールシート本体１４の第１の支え面４１と移動フード２３の第１の当付け面５１との接触部と、リールシート本体１４の第２の支え面４２と移動フード２３の第２の当付け面５２との接触部とはいわば梃子の力学関係で相互作用を受けるので密着固定される状態になる。よって、リールシート本体側と移動フード側との固着現象を回避できるとともに所定の位置に正しい姿勢でリールを強固に固定することができるようになる。
【００２３】
本発明は前述した実施形態に限定されるものではなく、他の形態にも適用可能なものである。
【図面の簡単な説明】
【００２４】
【図１】本発明の一実施形態に係る釣竿の側面図。
【図２】同実施形態に係るリール脚固定装置の部分の側面図。
【図３】（Ａ）は同実施形態に係るリール脚固定装置の部分を縦断して示す断面図、（Ｂ）は（Ａ）中のＡ−Ａ線に沿う縦断面図、（Ｃ）は（Ａ）中のＢ−Ｂ線に沿う縦断面図。
【図４】（Ａ）は同実施形態に係るリール脚固定装置のリールシート本体の平面図、（Ｂ）は同実施形態に係るリール脚固定装置のリールシート本体の側面図、（Ｃ）は同実施形態に係るリール脚固定装置のリールシート本体の下面図、（Ｄ）は同実施形態に係るリール脚固定装置の移動フードを先端側から見た正面図。
【図５】（Ａ）は同実施形態に係るリール脚固定装置の移動フードを縦断して示す断面図、（Ｂ）は同実施形態に係るリール脚固定装置の移動フードを手元側から見た背面図。
【符号の説明】
【００２５】
１…リール脚固定装置、１１…魚釣用リール、１４…リールシート本体、１６…リール脚載置面、２２…開口、２３…移動フード、２４…ナット、４１…第１の支え面、
４２…第２の支え面、５１…第１の当付け面、５２…第２の当付け面。
【図１】
2010004854.tif 000003
【図２】
2010004854.tif 000004
【図３】
2010004854.tif 000005
【図４】
2010004854.tif 000006
【図５】
2010004854.tif 000007